(57)【要約】【課題】本発明は、ユーザが現在いる地域に関連した情報を、ユーザに対してタイムリーに提供できるようにする新たな地域情報提供技術の確立を目的とする。【解決手段】ユーザの読取要求に応答して、ユーザの購入した商品に添付されたシールに記録されるコード情報を読み取ることで、その商品の販売地域を示すコード情報を読み取ると、地域に関連した情報を配信する地域情報配信サーバに対して、その読み取ったコード情報を指定して地域情報の配信を要求することで、その地域情報配信サーバから、ダイジェスト映像などで構成される商品の購入地域に応じた地域情報を取得して、その取得した地域情報をユーザに提示するように処理する。この構成に従って、自動販売機などで販売されるビールなどの飲料容器などの商品を使って、ユーザが現在いる地域に関連した情報を、ユーザに対してタイムリーに提供することができるようになる。【選択図】図１
2010250517.tif 000002
【特許請求の範囲】
【請求項１】
ユーザに対して地域に関連した情報を提供する地域情報提供装置であって、
ユーザの読取要求に応答して、ユーザの購入した商品に貼付されたシールに記録されるコード情報を読み取ることで、その商品の販売地域を示すコード情報を読み取る読取手段と、
地域に関連した情報を配信する地域情報配信サーバに対して、前記読取手段の読み取ったコード情報を指定して地域情報の配信を要求することで、その地域情報配信サーバから、商品の購入地域に応じた地域情報を取得する取得手段と、
前記取得手段の取得した地域情報をユーザに提示する提示手段とを備えることを、
特徴とする地域情報提供装置。
【請求項２】
請求項１に記載の地域情報提供装置において、
前記読取手段は、商品の販売地域を示すコード情報に加えて、その商品の種別を示すコード情報を読み取り、
前記取得手段は、前記地域情報配信サーバに対して、前記読取手段の読み取った商品の販売地域を示すコード情報と前記読取手段の読み取ったその商品の種別を示すコード情報とを指定して地域情報の配信を要求することで、前記地域情報配信サーバから、商品購入地域および商品種別に応じた地域情報を取得することを、
特徴とする地域情報提供装置。
【請求項３】
請求項２に記載の地域情報提供装置において、
前記取得手段は、前記地域情報配信サーバに対して、前記読取手段の読み取ったコード情報を指定して地域情報の配信を要求する際に、商品購入履歴に応じた地域情報の配信を要求することで、前記地域情報配信サーバから、商品購入地域および商品購入履歴に応じた地域情報を取得することを、
特徴とする地域情報提供装置。
【請求項４】
請求項２に記載の地域情報提供装置において、
前記読取手段がこれまでに読み取った商品種別を示すコード情報の履歴情報を記憶する記憶手段を備え、
前記取得手段は、前記地域情報配信サーバに対して、前記記憶手段の記憶する履歴情報についても指定して地域情報の配信を要求することで、前記地域情報配信サーバから、商品購入地域および商品購入履歴に応じた地域情報を取得することを、
特徴とする地域情報提供装置。
【請求項５】
請求項１ないし４のいずれか１項に記載の地域情報提供装置において、
前記取得手段は、前記地域情報配信サーバから、ダイジェスト映像で構成される地域情報を取得することを、
特徴とする地域情報提供装置。
【請求項６】
請求項１ないし５のいずれか１項に記載の地域情報提供装置を構成する手段としてコンピュータを機能させるための地域情報提供プログラム。
【発明の詳細な説明】
【技術分野】
【０００１】
本発明は、ユーザに対して地域に関連した情報を提供する地域情報提供装置と、その地域情報提供装置の実現に用いられる地域情報提供プログラムとに関し、特に、ユーザの必要とする地域に関連した情報をタイムリーに提供できるようにする地域情報提供装置と、その地域情報提供装置の実現に用いられる地域情報提供プログラムとに関する。
【背景技術】
【０００２】
ありとあらゆる場所で、自動販売機を使って、水、ジュース、コーヒーなどが販売されている。
【０００３】
これから、この販売形態を利用して広告を表示することが行われている。自動販売機に広告を表示したり、自動販売機で使う紙コップに広告を表示することが行われているのである。
【０００４】
その他に、自動販売機に関連する技術としては、例えば、下記の非特許文献１に記載されるように、電子マネーと自動販売機とを関連させた各種サービスが提案されている。
【先行技術文献】
【非特許文献】
【０００５】
【非特許文献１】宮田泰彦，特手義信，武田久孝，“自動販売機のＩＴ適用技術”，富士時報, Vol.78, No.3, pp.190-193, 2005.
【発明の概要】
【発明が解決しようとする課題】
【０００６】
情報提供者やユーザの要請により、ユーザに対して、そのユーザのいる地域に関連した情報を提供することが望まれている。
【０００７】
これを実現する一つの方法として、水、ジュース、コーヒーなどの販売に際して、自動販売機や紙コップに地域に関連した情報を表示することが行われている。
【０００８】
しかしながら、このような従来技術では、ユーザは自動販売機の付近において情報を取得するしかなく、したがって、情報の取得に際して、ユーザの自由度が大きく制限されるという問題がある。
【０００９】
また、このような従来技術において、紙コップなどの紙媒体を用いた広告印刷では、コストがかかるという問題がある。
【００１０】
さらに、このような従来技術では、提供する情報が固定的になってしまい、タイムリーに広告を変化させることができないという問題もある。
【００１１】
しかも、このような従来技術では、商品の購入履歴に応じて、ユーザに提供する広告の内容を可変にするというようなことも実現できないという問題もある。
【００１２】
本発明はかかる事情に鑑みてなされたものであって、ユーザが現在いる地域に関連した情報を、ユーザに対してタイムリーに提供できるようにするとともに、この提供にあたって、ユーザの必要とする地域に関連した情報を提供できるようにする新たな地域情報提供技術の実現を目的とするものであり、例えば、自動販売機で販売されるビール、ジュース、コーヒーなどの缶、瓶、ペットボトルなどの飲料容器から、ユーザが自由に自分の必要とする地域に関連した情報をタイムリーに取得できるようにする新たな地域情報提供技術の実現を目的とするものである。
【課題を解決するための手段】
【００１３】
この目的を達成するために、本発明の地域情報提供装置は、ユーザに対して地域に関連した情報を提供するために、（１）ユーザの読取要求に応答して、ユーザの購入した商品に貼付されたシールに記録されるコード情報を読み取ることで、その商品の販売地域を示すコード情報を読み取る読取手段と、（２）地域に関連した情報を配信する地域情報配信サーバに対して、読取手段の読み取ったコード情報を指定して地域情報の配信を要求することで、その地域情報配信サーバから、商品の購入地域に応じた地域情報を取得する取得手段と、（３）取得手段の取得した地域情報をユーザに提示する提示手段とを備えるように構成する。
【００１４】
この構成を採るときに、読取手段は、商品の販売地域を示すコード情報に加えて、その商品の種別を示すコード情報を読み取ることがあり、この場合には、取得手段は、地域情報配信サーバに対して、読取手段の読み取った商品の販売地域を示すコード情報と読取手段の読み取ったその商品の種別を示すコード情報とを指定して地域情報の配信を要求することで、地域情報配信サーバから、商品購入地域および商品種別に応じた地域情報を取得することがある。
【００１５】
このとき、取得手段は、地域情報配信サーバに対して、読取手段の読み取ったコード情報を指定して地域情報の配信を要求する際に、商品購入履歴に応じた地域情報の配信を要求することで、地域情報配信サーバから、商品購入地域および商品購入履歴に応じた地域情報を取得することがある。
【００１６】
また、このとき、読取手段がこれまでに読み取った商品種別を示すコード情報の履歴情報を記憶する記憶手段を備える場合には、取得手段は、地域情報配信サーバに対して、記憶手段の記憶する履歴情報についても指定して地域情報の配信を要求することで、地域情報配信サーバから、商品購入地域および商品購入履歴に応じた地域情報を取得することがある。
【００１７】
以上の各処理手段はコンピュータプログラムでも実現できるものであり、このコンピュータプログラムは、適当なコンピュータ読み取り可能な記録媒体に記録して提供されたり、ネットワークを解して提供され、本発明を実施する際にインストールされてＣＰＵなどの制御手段上で動作することにより本発明を実現することになる。
【００１８】
このように構成される本発明の地域情報提供装置は、ユーザの読取要求に応答して、ユーザの購入した商品に貼付されたシールに記録されるコード情報を読み取ることで、その商品の販売地域を示すコード情報を読み取ると、地域情報配信サーバに対して、その読み取ったコード情報を指定して地域情報の配信を要求することで、地域情報配信サーバから、ダイジェスト映像などで構成される商品の購入地域に応じた地域情報を取得して、その取得した地域情報をユーザに提示するように処理する。
【００１９】
この構成に従って、本発明の地域情報提供装置によれば、自動販売機などで販売されるビール、ジュース、コーヒーなどの缶、瓶、ペットボトルなどの飲料容器などの商品を使って、ユーザが現在いる地域に関連した情報を、ユーザに対してタイムリーに提供することができるようになる。
【００２０】
この構成を採るときに、本発明の地域情報提供装置は、商品の販売地域を示すコード情報に加えて、その商品の種別を示すコード情報を読み取って、地域情報配信サーバに対して、その読み取った商品の販売地域を示すコード情報とその読み取った商品の種別を示すコード情報とを指定して地域情報の配信を要求することで、地域情報配信サーバから、商品購入地域および商品種別に応じた地域情報を取得するように処理することがある。
【００２１】
この構成に従って、本発明の地域情報提供装置によれば、商品の購入地域とその商品の種別とに応じた地域情報を取得して、その取得した地域情報をユーザに提示することができるようになることで、商品購入履歴を介して知ることのできるユーザの必要とする地域に関連した情報を提供することができるようになる。
【００２２】
このとき、本発明の地域情報提供装置は、地域情報配信サーバに対して、読み取ったコード情報を指定して地域情報の配信を要求する際に、商品購入履歴に応じた地域情報の配信を要求することで、地域情報配信サーバから、商品購入地域および商品購入履歴に応じた地域情報を取得することがある。あるいは、これまでに読み取った商品種別を示すコード情報の履歴情報を記憶する記憶手段を備えるようにして、地域情報配信サーバに対して、記憶手段の記憶する履歴情報についても指定して地域情報の配信を要求することで、地域情報配信サーバから、商品購入地域および商品購入履歴に応じた地域情報を取得することがある。
【００２３】
この構成に従って、本発明の地域情報提供装置によれば、商品の購入地域とこれまでのユーザの商品の購入履歴とに応じた地域情報を取得して、その取得した地域情報をユーザに提示することができるようになることで、商品購入履歴を介して知ることのできるユーザの必要とする地域に関連した情報を提供することができるようになる。
【発明の効果】
【００２４】
本発明によれば、ユーザは、現在いる地域に関連した自分の必要とする情報をタイムリーに取得することができるようになる。
【００２５】
しかも、本発明によれば、ユーザは、自動販売機で販売される商品から、現在いる地域に関連した自分の必要とする情報をタイムリーに取得することができるようになることから、その情報を簡単に取得することができるようになる。
【図面の簡単な説明】
【００２６】
【図１】本発明により構成される地域情報提供システムのシステム構成図である。
【図２】飲料容器情報システムのシステム構成図である。
【図３】飲料容器情報システムのハードウェア構成図である。
【図４】地域情報記憶部のデータ構造の説明図である。
【図５】シールに印刷されるコードの説明図である。
【図６】シールに印刷されるコードの説明図である。
【図７】カメラ付携帯電話の装置構成図である。
【図８】カメラ付携帯電話のハードウェア構成図である。
【図９】カメラ付携帯電話の実行するフローチャートである。
【図１０】飲料容器情報システムの実行するフローチャートである。
【図１１】本発明により構成される地域情報提供システムの他のシステム構成図である。
【図１２】本発明の適用例の説明図である。
【図１３】商品の購入履歴を考慮した地域情報の配信方法の説明図である。
【図１４】商品の購入履歴を考慮した地域情報の配信方法の説明図である。
【発明を実施するための形態】
【００２７】
以下、実施の形態に従って本発明を詳細に説明する。
【００２８】
図１に、本発明により構成される地域情報配信システムのシステム構成の一例を図示する。
【００２９】
この図に示す本発明により構成される地域情報配信システムは、自動販売機で販売される飲料容器を購入したユーザに対して、その購入した地域についての情報（地域情報）を配信することを実現するものであり、このことを実現するために、本発明を具備するカメラ付携帯電話１と、本発明を具備するカメラ付携帯電話１に対して地域情報を配信するための処理を行う飲料容器情報システム２とを備える。
【００３０】
図１では、地域Ａに自動販売機３-1が設置され、地域Ｂに自動販売機３-2が設置され、地域Ｃに自動販売機３-3が設置され、地域Ｄに自動販売機３-4が設置されることを想定しており、飲料容器情報システム２は、これらの地域Ａ〜Ｄで販売されるビール、ジュース、コーヒーなどの缶、瓶、ペットボトルなどの飲料容器に対して、その飲料容器の販売される地域を示すコード情報とその飲料容器の商品種別を示すコード情報とを記録したシール４を貼付することで、そのシール４を発布する処理を実行する。
【００３１】
これを受けて、飲料容器を購入したユーザは、カメラ付携帯電話１を使って、購入した飲料容器に貼付されているシール４を撮影し、カメラ付携帯電話１は、この撮影が行われると、シール４に記録されているコード情報を読み取り、飲料容器情報システム２に対して、その読み取ったコード情報を指定して地域情報の配信を要求することで（地域を示すコード情報のみを指定することもある）、飲料容器情報システム２から、その販売された地域についての地域情報を取得してユーザに配信したり、その飲料容器の商品種別に合ったその飲料容器の販売された地域についての地域情報を取得してユーザに配信することを実行する。
【００３２】
これにより、ユーザは、例えば、地域Ａにいるときに、その地域Ａのスーパーや商店のタイムサービス、草花の状況、天気、交通情報、不審者情報などの情報を取得することができるようになる。
【００３３】
〔１〕飲料容器情報システム２のシステム構成
次に、飲料容器情報システム２のシステム構成について説明する。
【００３４】
図２に、飲料容器情報システム２のシステム構成の一例を図示する。
【００３５】
この図に示すように、飲料容器情報システム２は、地域情報記憶部２０と、地域情報更新部２１と、地域情報配信要求受信部２２と、地域情報配信部２３と、商品名・商品コード変換表２４と、コード付与部２５と、シール生成部２６と、シール発布部２７とを備える。
【００３６】
ここで、図３に示すように、飲料容器情報システム２は、ハードウェア構成的には、ＣＰＵ１０００αと、バス２０００αと、バス２０００αを介してＣＰＵ１０００αに接続されるプログラムメモリ３０００αと、バス２０００αを介してＣＰＵ１０００αに接続されるデータメモリ４０００αと、バス２０００αを介してＣＰＵ１０００αに接続される通信インタフェース５０００αとから構成される。
【００３７】
この構成を採るときに、図２に示す地域情報更新部２１、地域情報配信要求受信部２２、地域情報配信部２３、コード付与部２５、シール生成部２６およびシール発布部２７についてはプログラムメモリ３０００αに記憶される。また、図２に示す地域情報記憶部２０および商品名・商品コード変換表２４についてはデータメモリ４０００αに記憶される。
【００３８】
また、通信インタフェース５０００αは、ＣＰＵ１０００αの制御の下、インターネット上のサーバおよびインターネットサイトとの間で、通信ネットワークにより規定される通信プロトコルに従い通信を行う。通信プロトコルとしては、例えば、ＴＣＰ／ＩＰ(Transmission Control Protocol/Internet Protocol) が使用される。
【００３９】
なお、後述することから分かるように、地域情報記憶部２０、地域情報更新部２１、地域情報配信要求受信部２２および地域情報配信部２３により地域情報配信システムが構成され、一方、商品名・商品コード変換表２４、コード付与部２５、シール生成部２６およびシール発布部２７によりシール発布システムが構成されることになるが、この２つのシステムは、図２に示すように１つのシステムとして運用されることもあるが、別々のシステムとして運用されることもある。
【００４０】
次に、飲料容器情報システム２を構成する各処理部について説明する。
【００４１】
〔イ〕地域情報記憶部２０のデータ構造
地域情報記憶部２０は、図４に示すように、各地域（各地域コード）ごとに、その地域で販売される各飲料容器の商品種別（商品コード）に対応付けて、ユーザに対してどのような地域情報（テキスト情報のこともあるして、音声付きの映像情報のこともある）を配信するのかということを管理する。
【００４２】
例えば、地域コードが“０１”の地域Ａで販売される商品コードが“１５”のビールの飲料容器が処理対象となる場合には、その地域Ａの酒を販売するスーパーや商店が行うタイムサービスについての地域情報を配信するということを管理するのである。
【００４３】
〔ロ〕地域情報更新部２１の処理
地域情報更新部２１は、地域情報の管理者から入力される更新地域情報に従って、地域情報記憶部２０の記憶する地域情報を更新することで、地域情報記憶部２０が最新の地域情報を管理するように処理する。
【００４４】
この地域情報更新部２１が用意されることで、地域情報記憶部２０は、タイムリーな地域情報を管理することができるようになる。
【００４５】
〔ハ〕地域情報配信要求受信部２２の処理
地域情報配信要求受信部２２は、カメラ付携帯電話１が地域コードおよび商品コードを指定して地域情報配信要求を発行するときに、その地域情報配信要求を受信する。
【００４６】
〔ニ〕地域情報配信部２３の処理
地域情報配信部２３は、地域情報配信要求受信部２２の受信した地域コードおよび商品コードをキーにして地域情報記憶部２０を参照することで、地域情報記憶部２０から、カメラ付携帯電話１に配信する地域情報を読み出して、それをカメラ付携帯電話１に配信する。
【００４７】
〔ホ〕商品名・商品コード変換表２４のデータ構造
商品名・商品コード変換表２４は、商品名とその商品に割り当てられる商品コードとの対応関係を管理する。
【００４８】
〔ヘ〕コード付与部２５の処理
コード付与部２５は、シール４の発布者が地域名および商品名を指定してシール４の発布要求を発行するときに、地域情報記憶部２０の記憶データを参照することでその指定された地域名に対応付けられる地域コードを特定するとともに、商品名・商品コード変換表２４の対応関係データを参照することでその指定された商品名に対応付けられる商品コードを特定することで、シール４に対して、その指定された地域名および商品名に対応するコードを付与する。
【００４９】
図５に、シール４に印刷されるコード５αの一例を図示する。ここでは、ＱＲコードで構成されるコード５αを示している。このコード５αには、コード付与部２５により、地域情報の関連するアドレスなどを電子情報として埋め込んでおく。例えば、Ａ県Ｂ市Ｃ町の地域情報を格納するインターネット上のアドレスが、http://www.xxxx/A/B/C/であるときに、そのアドレスを電子情報としてコード５αに組み込んでおけばよい。
【００５０】
また、図６に示すコード５βのように、電子透かし技術を使って、写真などの静止画情報にコードを埋め込むようにしてもよい。ここで、電子透かしについては、例えば、下記の参考文献１に記載されるように公知の技術となっている。
【００５１】
参考文献１：特願2005-517550 (WO2005/074249),  中村高雄，片山淳，山室雅司，「                電子透かし埋め込み装置、電子透かし検出装置、及びそれらの方法、並                びにプログラム」
〔ト〕シール生成部２６の処理
シール生成部２６は、コード付与部２５により付与されたコードについて記録する図５および図６に示すようなシール４を生成する。
【００５２】
〔チ〕シール発布部２７の処理
シール発布部２７は、シール生成部２６の生成したシール４を該当する地域に配達される飲料容器に貼付することで、そのシール４を発布する。
【００５３】
〔２〕カメラ付携帯電話１の装置構成
次に、カメラ付携帯電話１の装置構成について説明する。
【００５４】
図７に、カメラ付携帯電話１の装置構成の一例を図示する。
【００５５】
この図に示すように、カメラ付携帯電話１は、カメラ１０と、読取画像記憶部１１と、コード識別部１２と、地域情報配信要求部１３と、地域情報受信部１４と、地域情報記憶部１５と、表示制御部１６と、ディスプレイ１７とを備える。
【００５６】
ここで、図８に示すように、飲料容器情報システム２は、ハードウェア構成的には、ＣＰＵ１０００βと、バス２０００βと、バス２０００βを介してＣＰＵ１０００βに接続されるプログラムメモリ３０００βと、バス２０００βを介してＣＰＵ１０００βに接続されるデータメモリ４０００βと、バス２０００βを介してＣＰＵ１０００βに接続される通信インタフェース５０００βとから構成される。
【００５７】
この構成を採るときに、図７に示すコード識別部１２、地域情報配信要求部１３、地域情報受信部１４および表示制御部１６についてはプログラムメモリ３０００βに記憶される。また、図７に示す読取画像記憶部１１および地域情報記憶部１５についてはデータメモリ４０００βに記憶される。
【００５８】
また、通信インタフェース５０００βは、ＣＰＵ１０００βの制御の下、インターネット上のサーバおよびインターネットサイトとの間で、通信ネットワークにより規定される通信プロトコルに従い通信を行う。通信プロトコルとしては、例えば、ＴＣＰ／ＩＰ(Transmission Control Protocol/Internet Protocol) が使用される。
【００５９】
次に、カメラ付携帯電話１を構成する各処理部について説明する。
【００６０】
〔イ〕カメラ１０の処理
カメラ１０は、飲料容器に貼付されたシール４の画像を読み取って読取画像記憶部１１に格納する。
【００６１】
〔ロ〕コード識別部１２の処理
コード識別部１２は、読取画像記憶部１１に格納されるシール４の画像を処理対象として、シール４に記録される地域コードおよび商品コードを識別する。
【００６２】
〔ハ〕地域情報配信要求部１３の処理
地域情報配信要求部１３は、コード識別部１２の識別した地域コードおよび商品コードを指定して、飲料容器情報システム２に対して地域情報の配信を要求する。
【００６３】
〔ニ〕地域情報受信部１４の処理
地域情報受信部１４は、地域情報配信要求部１３の配信要求に応答して飲料容器情報システム２から配信されてくる地域情報を受信して、地域情報記憶部１５に格納する。
【００６４】
〔ホ〕表示制御部１６の処理
表示制御部１６は、地域情報記憶部１５に格納される地域情報をディスプレイ１７に表示することで、飲料容器情報システム２から配信されてきた地域情報をディスプレイ１７に表示する。
【００６５】
〔３〕カメラ付携帯電話１および飲料容器情報システム２の実行する処理
図９に、図７のように構成される本発明を具備するカメラ付携帯電話１の実行するフローチャートを図示し、図１０に、図２のように構成される飲料容器情報システム２の実行するフローチャートを図示する。
【００６６】
次に、これらのフローチャートに従って、本発明の実行する処理について詳細に説明する。
【００６７】
本発明を具備するカメラ付携帯電話１は、飲料容器を購入したユーザによりその飲料容器に貼付されているシール４の読取要求があることで、その飲料容器の販売地域についての地域情報の配信要求があると、図９のフローチャートに示すように、まず最初に、ステップＳ１００で、その飲料容器に貼付されているシール４の画像を読み取る。
【００６８】
続いて、ステップＳ１０１で、その読み取ったシール４の画像を処理対象として、そのシール４に記録されている地域コードおよび商品コードを識別する。
【００６９】
続いて、ステップＳ１０２で、その識別した地域コードおよび商品コードを指定して、飲料容器情報システム２に対して地域情報の配信を要求する。
【００７０】
この地域情報の配信要求を受け取ると、飲料容器情報システム２は、図１０のフローチャートに示すように、まず最初に、ステップＳ２００で、カメラ付携帯電話１から送られてきた地域情報の配信要求を受信し、続くステップＳ２０１で、その受信した地域情報の配信要求で指定される地域コードおよび商品コードを抽出する。続いて、ステップＳ２０２で、地域情報記憶部２０から、その抽出した地域コードおよび商品コードに対応付けられる地域情報を読み出し、続くステップＳ２０３で、その読み出した地域情報を、地域情報配信要求元のカメラ付携帯電話１に配信する。
【００７１】
これから、本発明を具備するカメラ付携帯電話１は、ステップＳ１０２で、飲料容器情報システム２に対して地域情報の配信を要求すると、続くステップＳ１０３で、飲料容器情報システム２から地域情報が配信されてくるのを待つ。
【００７２】
そして、ステップＳ１０３で、飲料容器情報システム２から地域情報が配信されてきたことを検出すると、ステップＳ１０４に進んで、配信されてきた地域情報を受信し、続くステップＳ１０５で、その受信した地域情報をディスプレイ１７に表示して、処理を終了する。
【００７３】
このようにして、本発明によれば、ユーザは、自動販売機３-iで販売されるビール、ジュース、コーヒーなどの缶、瓶、ペットボトルなどの飲料容器のシール４を撮影して、そのシール４に埋め込まれたアドレスなどの情報を入手し、それに基づいて、飲料容器情報システム２から、その購入を行った地域についての情報をタイムリーに取得することができるようになる。
【００７４】
しかも、このとき、本発明を具備するカメラ付携帯電話１は、地域コードの他に商品コードを指定して飲料容器情報システム２に対して地域情報の配信を要求するので、ユーザは、購入した飲料容器に合った地域についての情報をタイムリーに取得することができるようになる。
【００７５】
例えば、飲料容器情報システム２は、夕刻にビールを購入するユーザに対して、胃腸薬の広告を配信することもできるし、その胃腸薬を購入できる近くの薬局の情報を配信することもできる。また、ビールを購入するユーザに対して、近くにある居酒屋の情報を配信することもできる。
【００７６】
ここで、購入した商品とは関係のない地域情報を配信するようにしてもよい。例えば、ＮＰＯなどのような地域に根ざした活動をＰＲしてもよい。いつ、どこで、どのような活動がなされているかをＰＲできれば、ＮＰＯ団体にとっても利便性が高い。
【００７７】
この地域情報の配信にあたって、図６に示すような電子透かしの技術を使ってコード５が記録されている場合には、それをカメラ付携帯電話１で読み込むことになるが、それについては下記の参考文献２に開示されている技術を利用すればよい。
【００７８】
参考文献２：中村高雄，片山淳，山室雅司，曽根原登，“カメラ付携帯電話機を用い                たアナログ画像からの高速電子透かし検出方式”，電子情報通信学会論                文誌Ｄ Vol.J87-D2, No.12, pp.2145-2155. 
〔４〕その他の構成
以上に説明した実施形態例では、ユーザが操作する本発明を具備する装置として、カメラ付携帯電話１を用いるという構成を採ったが、図１１に示すように、カメラが付帯されるパーソナルコンピュータ６を用いることでも実現可能である。また、ユーザの積極的な操作を要求しない、カメラが付帯されているテレビや電子写真立てなどのような装置を用いることでも実現可能である。
【００７９】
ここで、カメラが付帯されているテレビや電子写真立てを用いる場合には、図１２に示すように、購入した飲料容器をカメラの前面に置くことだけで地域情報を視聴することができるようになる。
【００８０】
また、以上に説明した実施形態例では、自動販売機により販売される飲料容器を利用することで説明したが、自動販売機により販売される飲料容器以外の商品を利用することでも実現可能であるし、自動販売機により販売される商品を利用するのではなくて、対面販売により販売される商品を利用することでも実現可能である。
【００８１】
また、以上に説明した実施形態例では、本発明を具備するユーザ側装置（図１の場合にはカメラ付携帯電話１）が地域情報配信システム（図１の場合には飲料容器情報システム２）に対して地域コードおよび商品コードを指定して地域情報の配信を要求する場合に、商品コードとして、ユーザが今回購入した商品の商品コードのみを指定するという構成を採ったが、図１３に示すように、ユーザ側装置が商品の購入履歴（今回購入の商品も含む所定の期間に購入した商品の履歴）を記録するようにして、その商品購入履歴の商品コードを指定して地域情報の配信を要求し、これを受けて、地域情報配信システムがその商品購入履歴を評価することで、配信する地域情報を決定するという構成を採ってもよい。
【００８２】
この場合、図１４に示すように、ユーザ側装置が商品購入履歴を記録するのではなくて、地域情報配信システムの方で、これまでの配信要求に基づいて各ユーザ側装置ごとに商品購入履歴を記録するようにして、ユーザ側装置は、地域コードと今回購入の商品コードとを指定して地域情報の配信を要求する場合に、地域情報配信システムに対して、商品の購入履歴を考慮した地域情報の配信を要求し、これを受けて、地域情報配信システムがそのユーザ側装置の商品購入履歴を読み出して、その読み出した商品購入履歴を評価することで、配信する地域情報を決定するという構成を採ることも可能である。
【００８３】
例えば、カメラ付携帯電話１の電子マネーを利用すれば、決裁の関係上、商品の購入履歴が記録されているので、それを利用することで、このような商品の購入履歴を考慮した地域情報の配信を実現することができる。
【００８４】
商品の購入履歴を考慮した地域情報を配信すれば、それを考慮しない場合に比べて、よりユーザの必要とする地域情報を配信することができるようになる。
【００８５】
例えば、今回はジュースを購入したものの、これまでは主にビールを購入している場合には、ジュースに関連した地域情報を配信するのではなくて、ビールに関連した地域情報（近くにある酒を販売するスーパーの宣伝とか、近くにあるビアホールの宣伝というような地域情報）を配信することができるようになることで、よりユーザの必要とする地域情報を配信することができるようになる。
【００８６】
また、今回はジュースを購入したものの、子供用の衣料品を購入することが多い場合には、飲料に関連した地域情報を配信するのではなくて、近くにある子供用の衣料品を販売しているスーパーの宣伝を配信するというように、子供用の衣料品に関連した地域情報を配信することができるようになることで、よりユーザの必要とする地域情報を配信することができるようになる。
【００８７】
また、ビールを購入した後に、おつまみ類を購入する傾向がある場合には、ビールを購入したときに、ビールに関連した地域情報を配信するのではなくて、おつまみ類を販売している近くのコンビニについての情報を配信することができるようになることで、よりユーザの必要とする地域情報を配信することができるようになる。
【００８８】
飲料容器情報システム２などのような地域情報配信システムは、音声や音楽コンテンツを持つ映像で構成される地域情報を配信することもあるが、この場合、ユーザがその映像で構成される地域情報を短時間で理解できるようにするために、その映像をダイジェスト化するダイジェスト生成部を備えるようにして、そのダイジェスト生成部が生成したダイジェスト映像を配信するようにしてもよい。
【００８９】
ダイジェスト生成方法としては、例えば、『特許第3803311 号，日高浩太，水野理，中嶌信弥，「音声処理方法及びその方法を使用した装置及びそのプログラム」』には、音声の強調状態に着目して、映像および音声コンテンツを短時間に視聴できる手法が提案されているので、それを利用してダイジェスト映像を生成することが可能である。
【００９０】
また、『入江豪，日高浩太，宮下直也，佐藤  隆，谷口行信，「個人撮影映像を対象とした映像速覧のための“笑い”シーン検出法」，映像情報メディア学会誌, vol.62, no.2, pp.227-233, 2008. 』には、音声の笑い声に着目して、映像を短時間化する手法が提案されているので、それを利用してダイジェスト映像を生成することが可能である。
【００９１】
また、『特開2006-244074 ，鳥井陽介，紺谷精一，森本正志，「動物体アップフレーム検出方法及びプログラム及びプログラムを格納した記憶媒体及び動物体アップショット検出方法及び動物体アップフレームあるいはショット検出方法及びプログラム及びプログラムを格納した記憶媒体」』には、動物体が大きく写っている映像区間を作成することができ、ダイジェスト的な映像区間閲覧のためのインデックスを利用者に提供する手法が提案されているので、それを利用してダイジェスト映像を生成することが可能である。
【００９２】
また、『特許第2839132 号，谷口行信，外村佳伸，「映像カット点検出方法及び装置」』には、カット点検出の手法が提案されており、『特許第3408117 号，谷口行信，阿久津明人，外村佳伸，「カメラ操作推定方法およびカメラ操作推定プログラムを記録した記録媒体」』には、カメラワーク検出に関する手法が提案されているので、それらを利用してダイジェスト映像を生成することが可能である。
【００９３】
また、『特許第3325823 号，谷口行信, 阿久津明人, 外村佳伸, 佐藤隆，「映像静止画表示方法及び装置並びに映像静止画表示プログラム格納記録媒体」』には、映像からパノラマ画像を合成する手法が提案されているので、それを利用してダイジェスト映像を生成することが可能である。
【産業上の利用可能性】
【００９４】
本発明は画像を撮影することが可能なカメラなどを備える装置に適用できるものであり、本発明を適用することで、ユーザは、現在いる地域に関連した自分の必要とする情報をタイムリーに取得することができるようになる。
【符号の説明】
【００９５】
１    カメラ付携帯電話
２    飲料容器情報システム
３    自動販売機
４    シール
５    コード
６    パーソナルコンピュータ
１０  カメラ
１１  読取画像記憶部
１２  コード識別部
１３  地域情報配信要求部
１４  地域情報受信部
１５  地域情報記憶部
１６  表示制御部
１７  ディスプレイ
２０  地域情報記憶部
２１  地域情報更新部
２２  地域情報配信要求受信部
２３  地域情報配信部
２４  商品名・商品コード変換表
２５  コード付与部
２６  シール生成部
２７  シール発布部
【図１】
2010250517.tif 000003
【図２】
2010250517.tif 000004
【図３】
2010250517.tif 000005
【図４】
2010250517.tif 000006
【図５】
2010250517.tif 000007
【図６】
2010250517.tif 000008
【図７】
2010250517.tif 000009
【図８】
2010250517.tif 000010
【図９】
2010250517.tif 000011
【図１０】
2010250517.tif 000012
【図１１】
2010250517.tif 000013
【図１２】
2010250517.tif 000014
【図１３】
2010250517.tif 000015
【図１４】
2010250517.tif 000016